【手続補正書】
【提出日】平成17年9月28日(2005.9.28)
【手続補正１】
【補正対象書類名】特許請求の範囲
【補正対象項目名】全文
【補正方法】変更
【補正の内容】
【特許請求の範囲】
【請求項１】
炭化水素ベース燃料の燃焼性を改善するための方法であって、
重量換算で、燃料100,000,000に対して燃焼触媒若しくはエンハンサー1以下の濃度で、燃料に１以上の燃焼触媒若しくはエンハンサーを加えるステップを含むことを特徴とする方法。
【請求項２】
さらに、前記１以上の触媒若しくはエンハンサーを溶解及び拡散させるステップを含むことを特徴とする請求項１記載の方法。
【請求項３】
重量換算で、燃料500,000,000に対して燃焼触媒若しくはエンハンサー1以下の濃度で、前記１以上の燃焼触媒若しくはエンハンサーがそれぞれ燃料に添加されることを特徴とする請求項１又は２記載の方法。
【請求項４】
重量換算で、燃料1,000,000,000に対して燃焼触媒若しくはエンハンサー1以下の濃度で、前記１以上の燃焼触媒若しくはエンハンサーがそれぞれ燃料に添加されることを特徴とする請求項１又は２記載の方法。
【請求項５】
重量換算で、燃料100,000,000,000に対して燃焼触媒若しくはエンハンサー1以下の濃度で、前記燃１以上の焼触媒若しくはエンハンサーがそれぞれ燃料に添加されることを特徴とする請求項１又は２記載の方法。
【請求項６】
重量換算で、燃料に対する燃焼触媒の濃度が、約100,000,000,000分の1〜約6,000,000,000,000分の1の範囲で、１以上の燃焼触媒若しくはエンハンサーがそれぞれ燃料に添加されることを特徴とする請求項１又は２記載の方法。
【請求項７】
重量換算で、燃料に対する燃焼触媒の濃度が、約100,000,000,000分の1〜約12,000,000,000,000分の1の範囲で、１以上の燃焼触媒若しくはエンハンサーがそれぞれ燃料に添加されることを特徴とする請求項１又は２記載の方法。
【請求項８】
前記１以上の燃焼触媒若しくはエンハンサーが、少なくとも、表１、表２、表３及び表４で特定される化学種の一つであることを特徴とする請求項１又は２記載の方法。
【請求項９】
前記１以上の燃焼触媒若しくはエンハンサーが、少なくとも、表１で特定される化学種の一つであることを特徴とする請求項８記載の方法。
【請求項１０】
前記１以上の燃焼触媒若しくはエンハンサーが、少なくとも、表２で特定される化学種の一つであることを特徴とする請求項８記載の方法。
【請求項１１】
前記１以上の燃焼触媒若しくはエンハンサーが、少なくとも、表３で特定される化学種の一つであることを特徴とする請求項８記載の方法。
【請求項１２】
前記１以上の燃焼触媒若しくはエンハンサーが、少なくとも、表４で特定される化学種の一つであることを特徴とする請求項８記載の方法。
【請求項１３】
前記１以上の燃焼触媒若しくはエンハンサーが、貴金属元素およびその合金を含んでいることを特徴とする請求項２記載の方法。
【請求項１４】
燃焼が、内部燃焼エンジン内で起こることを特徴とする請求項１〜１３のいずれかに記載の方法。
【請求項１５】
燃焼が、ボイラー、加熱炉内で起こり、該燃焼は熱を提供するためのものであることを特徴とする請求項１〜１３のいずれかに記載の方法。
【請求項１６】
燃焼が、ジェットエンジン若しくは他のタービンで起こることを特徴とする請求項１〜１３のいずれかに記載の方法。
【請求項１７】
前記１以上の燃焼触媒若しくはエンハンサーが、200,000,000分の1〜6,000,000,000,000分の1（ｗ／ｗ）の範囲の濃度で、燃料に散布することにより固体燃料に加えられることを特徴とする請求項１〜１３のいずれかに記載の方法。
【請求項１８】
前記１以上の燃焼触媒若しくはエンハンサーが、前記燃焼プロセスのため酸素を供給する空気ストリームに加えられることを特徴とする請求項１〜１３のいずれかに記載の方法。
【請求項１９】
前記１以上の燃焼触媒若しくはエンハンサーが、触媒とスチームとを結合させることにより燃焼タービンに添加されることを特徴とする請求項１〜１２のいずれかに記載の方法。
【請求項２０】
前記１以上の燃焼触媒若しくはエンハンサーを、気体状の燃料に添加することを特徴とする請求項１〜１２のいずれかに記載の方法。
【請求項２１】
燃焼が、エンジン内で起こり、燃焼触媒若しくはエンハンサー無しにエンジンを作動させた場合と比較したとき、燃焼混合物における燃料に対する空気の割合が増加することを特徴とする請求項１〜１３のいずれかに記載の方法。
【請求項２２】
前記１以上の燃焼触媒若しくはエンハンサーが、カリウムヘキサクロロプラチネート（ＩＶ）若しくはハイドロゲンヘキサクロロプラチネート（ＩＶ）の一方若しくは双方であることを特徴とする請求項２記載の方法。
【請求項２３】
前記１以上の燃焼触媒若しくはエンハンサーが、ポリ塩化ビニル及び／又は硝酸アンモニウムのうちの一つであることを特徴とする請求項１又は２記載の方法。
【請求項２４】
炭化水素ベース燃料の燃焼性を改善するための方法であって、
１以上の燃焼触媒若しくはエンハンサーを水若しくは他の溶媒と混合し、第一プリミックスを生成するステップと、
前記第一プリミックスを、親水性／親油性の有機化合物と混合し、第二プリミックスを生成するステップと、
前記第二プリミックスを前記燃料若しくは燃料と相溶性を有する媒質に混合し、第三プリミックを生成するステップと、
前記第三プリミックスを液体燃料に混合し、重量換算で、燃料に対する燃焼触媒若しくはエンハンサーの濃度を100,000,000分の1未満とするステップとを備えることを特徴とする方法。
【請求項２５】
前記１以上の燃焼触媒若しくはエンハンサーが、前記最終混合物中に、燃料に対する触媒若しくはエンハンサーが100,000,000分の1未満及び6,000,000,000,000分の1以上の濃度で存在することを特徴とする請求項２４記載の方法。
【請求項２６】
炭化水素ベース燃料の燃焼性を改善するための方法であって、
１以上の燃焼触媒若しくはエンハンサーを、水若しくは他の溶媒に混合して、第一プリミックスを生成するステップと、
前記第一のプリミックスを、親水性／親油性の有機化合物に混合して、第二プリミックスを生成するステップと、
前記第二のプリミックスを、前記燃料若しくは前記燃料と相溶性を有する溶媒に混合して、第三プリミックスを生成するステップと、
前記第三のプリミックスを、液体燃料に混合し、重量換算で、燃料に対する、少なくとも一つの燃焼触媒若しくはエンハンサーの割合が、約100,000,000,000分の1〜約12,000,000,000,000分の1の間の範囲の濃度を与えることを特徴とする方法。
【請求項２７】
１以上のステップが、さらに別のサブステップに分割されることを特徴とする請求項２６記載の方法。
【請求項２８】
前記第三プリミックスを液体燃料に混合するステップが、燃料に対する燃焼触媒若しくはエンハンサーの濃度を、約100,000,000,000分の1〜約12,000,000,000,000分の1の範囲とすることを特徴とする請求項２６記載の方法。
【請求項２９】
混合ステップが、電気攪拌手段を用いて実行されることを特徴とする請求項２４〜２８のいずれかに記載の方法。
【請求項３０】
前記他の溶媒が、イソプロピルアルコール、メタノール、エタノール、ＭＴＢＥ、メチルエチルケトン、メチルイソブチルケトン、メタノールの少なくとも一つであることを特徴とする請求項２６記載の方法。
【請求項３１】
前記親水性／親油性化合物が、イソプロピルアルコール、メタノール、エタノール、ＭＴＢＥ、メチルエチルケトン、メチルイソブチルケトン、及びメタノールの少なくとも一つであることを特徴とする請求項３０記載の方法。
【請求項３２】
前記流体と相溶性を有する溶媒は、イソプロピルアルコール、メタノール、エタノール、ＭＴＢＥ、メチルエチルケトン、メチルイソブチルケトン及びメタノールの少なくとも一つであることを特徴とする請求項３１記載の方法。
【請求項３３】
燃焼エンジン内で、炭化水素ベース燃料の燃焼性を向上させる方法であって、
燃焼触媒若しくはエンハンサーを、燃焼エンジンのための潤滑オイルに加えるステップを備え、
前記触媒が、重量基準若しくは体積基準で計算されたオイルに対する触媒の割合がおよそ1,000,000分の1レベルで添加されることを特徴とする方法。
【請求項３４】
前記燃焼触媒若しくはエンハンサーが、前記最終混合物中に、燃料に対する燃焼触媒が100,000,000分の1未満及び6,000,000,000,000分の1以上の濃度で存在することを特徴とする、炭化水素ベース燃料と燃焼触媒若しくはエンハンサーとの組成。
【請求項３５】
前記燃焼触媒若しくはエンハンサーが、燃料に対して、500,000,000分の1未満及び3,000,000,000,000分の1以上の濃度で存在することを特徴とする請求項３４記載の燃料と燃焼触媒との組成。
【請求項３６】
前記燃焼触媒が、燃料に対して、1,000,000,000分の1未満及び3,000,000,000,000分の1以上の濃度で存在することを特徴とする請求項３４記載の燃料と燃焼触媒との組成。
【請求項３７】
前記燃焼触媒が、燃料に対して、約100,000,000,000分の1〜約6,000,000,000,000分の1の間の濃度で存在することを特徴とする請求項３６記載の燃料と燃焼触媒との組成。
【請求項３８】
燃焼触媒もしくはエンハンサーのうち少なくとも１つ、水及び親水性／親油性の液体のうち一方、及び炭化水素ベース燃料を含む混合物であって、上記燃焼触媒若しくはエンハンサーが、重量換算で、燃料に対して100,000,000,000分の1以下の濃度で存在することを特徴とする混合物。
【請求項３９】
前記少なくとも一つの燃焼触媒若しくはエンハンサーが、表１、表２、表３若しくは表４から選ばれることを特徴とする請求項３８記載の混合物。
【請求項４０】
前記親水性／親油性の液体が、イソプロピルアルコール、メタノール、エタノール、ＭＴＢＥ、メチルエチルケトン、メチルイソブチルケトン及びメタノールの少なくとも一つであることを特徴とする請求項３８又は３９記載の混合物。
【請求項４１】
前記燃焼触媒若しくはエンハンサーが、燃料に対して200,000,000分の1〜12,000,000,000,000分の1の範囲で存在することを特徴とする請求項３８記載の混合物。
【請求項４２】
前記燃焼触媒若しくはエンハンサーが、燃料に対して1,000,000,000分の1〜3,000,000,000,000分の1の範囲で存在することを特徴とする請求項３８記載の混合物。
【請求項４３】
前記燃焼触媒若しくはエンハンサーが、燃料に対して2,400,000,000分の1〜2,500,000,000,000分の1の範囲で存在することを特徴とする請求項３８記載の混合物。